(57)【要約】【課題】周波数特性及び耐入力特性に優れるとともに、信頼性に優れた、小型化可能なスピーカを提供する。【解決手段】スピーカのダンパー１００は、ボイスコイルボビンの内側に設けられている。ダンパー１００は、環状のボビン固定部１１０と、ボビン固定部１１０の内側に位置し磁気回路のセンターポールに固定されるセンターポール固定部１２０と、ボビン固定部１１０とセンターポール固定部１２０とに接続された可動部１３０ａ，１３０ｂ，１３０ｃとを備えている。各可動部１３０ａ，１３０ｂ，１３０ｃは、スピーカの正面方向から見て円弧状に湾曲した形状を有しており、それぞれの曲率中心は、互いに同じ位置に位置するように配置されている。スピーカを小型化しつつ、センターポール固定部１２０と可動部１３０とを共に大きくすることができる。【選択図】図２
2013012830.tif 000002
【特許請求の範囲】
【請求項１】
ダンパーをボイスコイルボビンの内側に設けたスピーカであって、
前記ダンパーは、
前記ボイスコイルボビンに固定された略環状のボビン固定部と、
前記スピーカの正面方向から見て前記ボビン固定部の内側に位置し、磁気回路のセンターポールに固定されたセンターポール固定部と、
それぞれ前記ボビン固定部と前記センターポール固定部とに接続された複数の可動部とを備え、
前記複数の可動部のそれぞれの前記センターポール固定部側の接合部の位置は、前記センターポール固定部のうち、その可動部の前記ボビン固定部側の接合部に最も近い部位から離れた位置にあり、
前記複数の可動部のそれぞれは、前記スピーカの正面方向から見て円弧状に湾曲した形状を有し、
前記複数の可動部は、前記スピーカの正面方向から見て、それぞれの曲率中心が互いに同じ位置に位置するように配置されている、スピーカ。
【請求項２】
前記ボイスコイルボビンは、円筒形状を有し、
前記ボビン固定部は、前記スピーカの正面方向から見て、その中心が前記可動部の曲率中心と同位置にある円環形状を有しており、
前記センターポール固定部を前記スピーカの正面方向から見た外周形状は、その中心が前記可動部の曲率中心と同位置にある円形状である、請求項１に記載のスピーカ。
【請求項３】
前記ボビン固定部と前記センターポール固定部とは、互いに前記スピーカの前後方向に離れている、請求項１又は２に記載のスピーカ。
【請求項４】
前記可動部は、前記ボビン固定部側の接合部から前記センターポール固定部側の接合部に向かって傾斜している、請求項１から３のいずれか１項に記載のスピーカ。
【請求項５】
前記可動部は、前記スピーカの側方から見て湾曲している、請求項１から４のいずれか１項に記載のスピーカ。
【請求項６】
前記可動部の前記センターポール固定部側の接合部と前記ボビン固定部側の接合部との少なくとも一方には、フィレット部が形成されている、請求項１から５のいずれか１項に記載のスピーカ。
【請求項７】
前記センターポール固定部は、前記スピーカの正面方向から見て前記センターポール固定部の内側に設けられた複数の架橋部を有し、
前記複数の架橋部は、前記スピーカの正面方向から見て前記センターポール固定部の中央部で互いに接合されている、請求項１から６のいずれか１項に記載のスピーカ。
【請求項８】
前記可動部は、前記スピーカの側方から見てＳ字状を成すように湾曲している、請求項１から７のいずれか１項に記載のスピーカ。
【発明の詳細な説明】
【技術分野】
【０００１】
この発明は、スピーカに関し、特に、ボイスコイルボビンの内側にダンパーが配置されているスピーカに関する。
【背景技術】
【０００２】
スピーカは、家庭用音響機器や車載用音響機器だけでなく、パーソナルコンピュータ、携帯電話、ゲーム機など、様々な電子機器に広く使用されている。このような電子機器の軽薄短小化が進展する中で、スピーカに対しても、高性能化と、さらなる小型化、薄型化とを両立させることが求められている。すなわち、音響機器や電子機器の小型化に伴い、機器内部のスピーカの設置スペースが狭くなることから、スピーカの小型化が必要になっている。他方、スピーカにおいて、高性能であるといえるためには、音質が優れていることの他に、高耐入力であることが必要である。
【０００３】
スピーカが高耐入力であるためには、ボイスコイルボビンの外径が比較的大きいことが必要である。しかしながら、例えばボイスコイルボビンの円筒外側にダンパーを設けたスピーカでは（例えば、特許文献３参照）、高耐入力とするためにボイスコイルボビンの外径を大きくすると、ダンパーの可動部が小さくなり、ダンパーのスティフネスが大きくなる。ダンパーのスティフネスが大きくなると、最低共振周波数が上昇するため、スピーカの再生周波数帯域が狭くなるおそれがある。ここでダンパーの可動部とは、スピーカの不動部分に固定された端部とボイスコイルボビン側の端部との間において変形可能な部位のことをいう。可動部が設けられていることで、磁気回路に対してボイスコイルボビンが変位可能となるように、ダンパーによってボイスコイルボビンが支持される。
【０００４】
このような問題に対して、下記特許文献１には、ボイスコイルボビンの内部にダンパーが配されたスピーカが開示されている。このスピーカでは、ダンパーの内周端が磁気回路に固定されている。ダンパーの外周端は、ドーム部の外周端及びボイスコイルボビンの円筒内面に接合されている。ダンパーをボイスコイルボビンの円筒内側に設けることで、スピーカの小型化と、周波数特性及び耐入力特性の向上とが図られている。
【０００５】
下記特許文献２には、ボイスコイルボビンの円筒内面にダンパーが配置されたスピーカの上述とは別の構造が開示されている。
【０００６】
下記特許文献３には、ボイスコイルボビンの円筒外周側にダンパーが配置されたスピーカの構造が開示されている。
【先行技術文献】
【特許文献】
【０００７】
【特許文献１】特開２００４−２２１６９１号公報
【特許文献２】特開２００６−２１１４６９号公報
【特許文献３】特許４１７８７１７号公報
【発明の概要】
【発明が解決しようとする課題】
【０００８】
ところで、特許文献１に記載されているようなスピーカでは、ダンパーと磁気回路との接着面積が大きく確保されており、ダンパーと磁気回路とが強固に固定されている。これにより、入力時において振動系で問題となることがあるローリング現象が抑えられる。しかしながら、特許文献１に記載されているような構造では、ダンパーと磁気回路との接着面積が大きく確保されていることにより、ダンパーがダンパーとして機能するのに必要な可動部分が小さく、ダンパーのスティフネスが大きくなっている。そのため、スピーカの最低共振周波数が上昇し、再生周波数帯域が狭くなる可能性がある。
【０００９】
これとは反対に、ダンパーと磁気回路との接着面積を少なくすれば、ダンパーの可動部を大きく確保できるため、ダンパーのスティフネスを低減させることができる。しかしながら、ダンパーと磁気回路との接触面積を少なくすると、振動系においてローリング現象が発生しやすくなり、かつダンパーと磁気回路の間の接着強度が弱くなり、信頼性が低下する。
【００１０】
なお、上記特許文献のそれぞれには、このような問題点に対して有効な解決策は何ら開示されていない。
【００１１】
この発明はそのような問題点を解決するためになされたものであり、周波数特性及び耐入力特性に優れるとともに、信頼性に優れた、小型化可能なスピーカを提供することを目的としている。
【課題を解決するための手段】
【００１２】
上記目的を達成するためこの発明のある局面に従うと、スピーカは、ダンパーをボイスコイルボビンの内側に設けたスピーカであって、ダンパーは、ボイスコイルボビンに固定された略環状のボビン固定部と、スピーカの正面方向から見てボビン固定部の内側に位置し、磁気回路のセンターポールに固定されたセンターポール固定部と、それぞれボビン固定部とセンターポール固定部とに接続された複数の可動部とを備え、複数の可動部のそれぞれのセンターポール固定部側の接合部の位置は、センターポール固定部のうち、その可動部のボビン固定部側の接合部に最も近い部位から離れた位置にあり、複数の可動部のそれぞれは、スピーカの正面方向から見て円弧状に湾曲した形状を有し、複数の可動部は、スピーカの正面方向から見て、それぞれの曲率中心が互いに同じ位置に位置するように配置されている。
【００１３】
好ましくはボイスコイルボビンは、円筒形状を有し、ボビン固定部は、スピーカの正面方向から見て、その中心が可動部の曲率中心と同位置にある円環形状を有しており、センターポール固定部をスピーカの正面方向から見た外周形状は、その中心が可動部の曲率中心と同位置にある円形状である。
【００１４】
好ましくはボビン固定部とセンターポール固定部とは、互いにスピーカの前後方向に離れている。
【００１５】
好ましくは可動部は、ボビン固定部側の接合部からセンターポール固定部側の接合部に向かって傾斜している。
【００１６】
好ましくは可動部は、スピーカの側方から見て湾曲している。
【００１７】
好ましくは可動部のセンターポール固定部側の接合部とボビン固定部側の接合部との少なくとも一方には、フィレット部が形成されている。
【００１８】
好ましくはセンターポール固定部は、スピーカの正面方向から見てセンターポール固定部の内側に設けられた複数の架橋部を有し、複数の架橋部は、スピーカの正面方向から見てセンターポール固定部の中央部で互いに接合されている。
【００１９】
好ましくは可動部は、スピーカの側方から見てＳ字状を成すように湾曲している。
【発明の効果】
【００２０】
これらの発明に従うと、ダンパーの可動部の、センターポール固定部側の接合部の位置は、センターポール固定部のうち、その可動部のボビン固定部側の接合部に最も近い部位から離れた位置にある。したがって、周波数特性及び耐入力特性に優れるとともに、信頼性に優れた、小型化可能なスピーカを提供することができる。
【図面の簡単な説明】
【００２１】
【図１】本発明の実施の形態の１つにおけるスピーカの構成を示す側断面図である。
【図２】ダンパーを示す平面図である。
【図３】ダンパーを示す側面図である。
【図４】ダンパーを図２の矢印Ｖ１方向から見た図である。
【図５】本実施の形態の一変型例に係るダンパーを示す平面図である。
【図６】ダンパーを図５の矢印Ｖ２方向から見た図である。
【発明を実施するための形態】
【００２２】
以下、本発明の実施の形態の１つにおけるスピーカについて説明する。
【００２３】
［実施の形態］
【００２４】
図１は、本発明の実施の形態の１つにおけるスピーカ１の構成を示す側断面図である。
【００２５】
本実施の形態において、スピーカ１は、逆ドーム型スピーカであって、内磁型の磁気回路１０を有する小型なものである。スピーカ１において、ダンパー１００は、ボイスコイルボビン５の内側に設けられている。
【００２６】
［スピーカ１の構造の説明］
【００２７】
図１に示されるように、スピーカ１は、振動板２と、エッジ３と、フレーム４と、ボイスコイルボビン５と、ボイスコイル６と、磁気回路１０と、ダンパー１００とを有している。
【００２８】
磁気回路１０は、センターポール（ポールピース）１１と、マグネット１２と、ポットヨーク１３とで構成されている。ポットヨーク１３の内側略中央部には、マグネット１２が配置され、マグネット１２の上部に、センターポール１１が配置されている。センターポール１１の周囲とポットヨーク１３の上端周縁部との間には、磁気ギャップが設けられている。本実施の形態において、ポットヨーク１３は、平面視で、すなわち図１の上方向から見て、円形の椀形状を有しており、センターポール１１は、略円柱形状に形成されている。磁気ギャップは、平面視で略円周形状に形成されている。フレーム４は、ポットヨーク１３の周囲に位置するように、ポットヨーク１３に固定されている。
【００２９】
ダンパー１００は、大まかに、環状のボビン固定部１１０と、環状のセンターポール固定部１２０と、それらの間を接続する可動部１３０とを有している。センターポール固定部１２０は、センターポール１１の上面に接着されて固着されている。ボビン固定部１１０は、ボビン固定部１１０の側周部に設けられた固定部１１１（図２に示す。）がボイスコイルボビン５の円筒部内周面に接着されて、ボイスコイルボビン５に固着されている。すなわち、ダンパー１００は、ボイスコイルボビン５の内側に配置されている。ダンパー１００の詳細な構造は、後述する。
【００３０】
ボイスコイルボビン５は、円筒形状を有している。ボイスコイルボビン５の上端部には、振動板２が配置されている。ボイスコイルボビン５の下部には、ボイスコイル６が設けられている。ボイスコイルボビン５は、ボイスコイル６が磁気ギャップ内に位置するように、磁気ギャップにはめ込まれた状態で配置されている。
【００３１】
振動板２は、エッジ３を介して、フレーム４に支持されている。振動板２は、平面視で略円形に形成されている。エッジ３は、振動板２の周縁部に張り付けられている。振動板２とボイスコイルボビン５とは、エッジ３及びダンパー１００により、フレーム４や磁気回路１０に対して上下方向（図１において上下方向）に振動可能に支持されている。
【００３２】
［ダンパー１００の構造の説明］
【００３３】
図２は、ダンパー１００を示す平面図である。
【００３４】
ダンパー１００は、ボビン固定部１１０と、センターポール固定部１２０と、可動部１３０とを有している。ダンパー１００は、樹脂の射出成形により、一体に形成されている。図２に示されるように、ボビン固定部１１０と、センターポール固定部１２０とは、それぞれ円環状に形成されている。センターポール固定部１２０は、平面視で、すなわちスピーカ１の正面方向から見て（ボイスコイルボビン５の高さ方向から見て）、ボビン固定部１１０の内側に位置している。
【００３５】
ボビン固定部１１０の側周面には、側周面から突出するように形成された複数の固定部１１１が設けられている。ボビン固定部１１０は、固定部１１１がボイスコイルボビン５の円筒部内周面に固定されるようにして、ボイスコイルボビン５に取り付けられる。
【００３６】
ボビン固定部１１０は、図２に一点鎖線で示される円周Ｃ１に沿う円環形状を有している。また、センターポール固定部１２０は、図２に一点鎖線で示され、円周Ｃ１よりも半径が小さい円周Ｃ２に沿う円環形状を有している。円周Ｃ２と円周Ｃ１とは、同一の中心ＣＴＲを共有する同心円である。すなわち、ボビン固定部１１０とセンターポール固定部１２０とは、平面視で互いに同一の中心ＣＴＲを有している。
【００３７】
ダンパー１００には、３つの可動部１３０（可動部１３０ａ，１３０ｂ，１３０ｃ）が設けられている。各可動部１３０は、ボビン固定部１１０とセンターポール固定部１２０とに接続されており、ボビン固定部１１０とセンターポール固定部１２０とを連結している。可動部１３０は、ボビン固定部１１０とセンターポール固定部１２０との間で変形可能な部位である。可動部１３０が設けられていることで、磁気回路１０に対してボイスコイルボビン５が変位可能となるように、ダンパー１００によってボイスコイルボビン５が支持される。
【００３８】
可動部１３０は、平面視で、ボビン固定部１１０より内側であって、センターポール固定部１２０よりも外側に位置している。すなわち、各可動部１３０は、ボビン固定部１１０とセンターポール固定部１２０との間に配置されている。３つの可動部１３０は、互いに同型状を有している。３つの可動部１３０は、それぞれ、円周Ｃ３上に配置されている。円周Ｃ３は、円周Ｃ１，Ｃ２と同心円であって、円周Ｃ１より半径が小さく、円周Ｃ２より半径が大きいものである。
【００３９】
ボビン固定部１１０には、それぞれ可動部１３０ａ，１３０ｂ，１３０ｃのボビン固定部１１０側の端部が接続される第１の接合部（ボビン固定部１１０側の接合部）１１５ａ，１１５ｂ，１１５ｃが設けられている。第１の接合部１１５ａ，１１５ｂ，１１５ｃは、平面視で、ボビン固定部１１０の内側に、センターポール固定部１２０に向け、円周Ｃ３で示される位置辺りまで突出するようにして設けられている。また、センターポール固定部１２０には、それぞれ可動部１３０ａ，１３０ｂ，１３０ｃのセンターポール固定部１２０側の端部が接続される第２の接合部（センターポール固定部１２０側の接合部）１２５ａ，１２５ｂ，１２５ｃが設けられている。第２の接合部１２５ａ，１２５ｂ，１２５ｃは、平面視で、センターポール固定部１２０の外側に、ボビン固定部１１０に向け、円周Ｃ３で示される位置辺りまで突出するようにして設けられている。
【００４０】
ここで、本実施の形態において、各可動部１３０のそれぞれのセンターポール固定部１２０側の接合部（第２の接合部１２５ａ，１２５ｂ，１２５ｃ）の位置は、センターポール固定部１２０のうち、その可動部１３０のボビン固定部１１０側の接合部（第１の接合部１１５ａ，１１５ｂ，１１５ｃ）に最も近い部位から離れた位置に設けられている。
【００４１】
例えば、可動部１３０ａの両端部が接続される第１の接合部１１５ａと第２の接合部１２５ａとは、互いに、円周Ｃ３に沿って離れた位置に設けられている。すなわち、第２の接合部１２５ａは、センターポール固定部１２０のうち第１の接合部１１５ａに最も近い位置（図２において可動部１３０ｃについての第２の接合部１２５ｃの周辺位置に相当）から、円周Ｃ３に沿って反時計回りに離れた位置に配置されている。同様に、可動部１３０ｂについて互いに対応する第１の接合部１１５ｂと第２の接合部１２５ｂとも、互いに離れた位置に設けられている。可動部１３０ｃについて互いに対応する第１の接合部１１５ｃと第２の接合部１２５ｃとも、互いに離れた位置に設けられている。
【００４２】
可動部１３０は、平面視で、円周Ｃ３に沿うように湾曲した帯形状を有している。換言すると、可動部１３０は、ボビン固定部１１０とセンターポール固定部１２０との間で、円周Ｃ３方向に伸長し、円弧状に形成されている。３つの可動部１３０ａ，１３０ｂ，１３０ｃは、それぞれの曲率中心が互いに同じ中心ＣＴＲに位置するように配置されている。すなわち、３つの可動部１３０ａ，１３０ｂ，１３０ｃは、ボビン固定部１１０及びセンターポール固定部１２０の中心ＣＴＲを曲率中心とするように配置されている。
【００４３】
可動部１３０としては３つが設けられており、第１の接合部１１５ａ，１１５ｂ，１１５ｃのそれぞれとそれに対応する第２の接合部１２５ａ，１２５ｂ，１２５ｃとは、互いに、円周Ｃ３上で、中心ＣＴＲ回りに１２０度弱ほど回転してずれた位置に配置されている。換言すると、図２に示されるように、３つの可動部１３０は、円周Ｃ３上で互いにわずかな隙間を設けて、全体として略円環状を成すように配置されている。
【００４４】
上記のように、各可動部１３０は、その幅方向（平面視で長手方向に対し垂直な方向）に所定の幅寸法を有する帯形状を有しており、主に上下方向に可撓性を有している。すなわち、可動部１３０は弾性体として機能する。可動部１３０が可撓性を有していることにより、ボビン固定部１１０は、センターポール固定部１２０に対して、各可動部１３０をたわませながら変位可能である。可動部１３０が主に上下方向に可撓性を有していることにより、ボビン固定部１１０は、主に上下方向に変位可能である。
【００４５】
ここで、本実施の形態において、センターポール固定部１２０は、３つの架橋部１２７を有している。３つの架橋部１２７は、平面視で、センターポール固定部１２０の内側に配置されている。各架橋部１２７は、センターポール固定部１２０のうち、第２の接合部１２５ａ，１２５ｂ，１２５ｃが設けられている部位の内側に接続されている。各架橋部１２７は、センターポール固定部１２０側の接続部から中心ＣＴＲ方向に略直線状に伸長するように設けられている。中心ＣＴＲ付近すなわちセンターポール固定部１２０の中央部では、３つの架橋部１２７が互いに接合されている。３つの架橋部１２７の接合部は、ゲート１２９とされている。
【００４６】
このように架橋部１２７が形成されており、ゲート１２９が設けられていることで、射出成形によりダンパー１００を成形する際、樹脂の流れがスムーズになり、ショートモールドなどの成形不良の発生を防止することができる。また、架橋部１２７は、センターポール固定部１２０の内側に配置されることで、センターポール固定部１２０の補強リブとして機能する。すなわち、架橋部１２７が設けられることで、センターポール固定部１２０の剛性を高くすることができ、センターポール固定部１２０の変形を防止することができる。したがって、より高い精度でボイスコイルボビン５などを支持させることができ、スピーカ１をより高性能化できる。各架橋部１２７は、ダンパー１００において比較的力が加わる部位である第２の接合部１２５ａ，１２５ｂ，１２５ｃが設けられている部位の内側に接続されているので、スピーカ１の使用時などにおけるセンターポール固定部１２０の変形防止効果をより効果的に得ることができる。
【００４７】
図３は、ダンパー１００を示す側面図である。図４は、ダンパー１００を図２の矢印Ｖ１方向から見た図である。
【００４８】
図４において、ダンパー１００は、図２において一点鎖線Ｄ１で囲まれた部位を除いて示されている。
【００４９】
図３に示されるように、ボビン固定部１１０とセンターポール固定部１２０とは、自然状態において、スピーカ１の前後方向（ボイスコイルボビン５の軸方向，図３において左右方向）に離れている。換言すると、ボビン固定部１１０とセンターポール固定部１２０とは、自然状態において、互いにボイスコイルボビン５の軸方向にずれた位置にあり、同一平面上にはない。ボビン固定部１１０は、センターポール固定部１２０よりも、上方（図３において左方向）に位置している。
【００５０】
ここで、スピーカ１の前後方向のボビン固定部１１０とセンターポール固定部１２０とのずれ（段差）の寸法は、ボイスコイル６の巻き幅の１／２以上に設定されている。このようにボビン固定部１１０とセンターポール固定部１２０とのずれ量が設定されているので、スピーカ１への高入力時において、ボビン固定部１１０とセンターポール（ポールピース１１など）とが干渉することを防止できる。
【００５１】
本実施の形態において、ボビン固定部１１０とセンターポール固定部１２０とがスピーカ１の前後方向に離れているので、各可動部１３０は、ボビン固定部１１０側の第１の接合部１１５ａ，１１５ｂ，１１５ｃからセンターポール固定部１２０側の第２の接合部１２５ａ，１２５ｂ，１２５ｃに向かって傾斜している。すなわち、図４に示されるように、例えば可動部１３０ａは、第１の接合部１１５ａから第２の接合部１２５ａに向けて、徐々に高さが低くなるように（図４において下方になるように）、傾斜している。他の可動部１３０ｂ，１３０ｃも同様に、ボビン固定部１１０側からセンターポール固定部１２０側に向けて、徐々に高さが低くなるように、傾斜している。このように可動部１３０が緩やかに傾斜しているので、ボビン固定部１１０とセンターポール固定部１２０との距離にかかわらず、可動部１３０は、安定した復元力を発生する。
【００５２】
可動部１３０は、側周面側（スピーカ１の側方すなわちボイスコイルボビン５の高さ方向に直交する方向）から見て、上下方向（図４において上下方向）に湾曲している。すなわち、図４に示されるように、例えば可動部１３０ａは、上記のようにボビン固定部１１０側からセンターポール固定部１２０側にかけて傾斜している部分が、上に凸となるように若干湾曲している。このように、可動部１３０の表面が長手方向（伸長方向）に湾曲しているので、ボビン固定部１１０がセンターポール固定部１２０に対し変位するとき、可動部１３０の全体に負荷が分散され、可動部１３０の疲労を軽減することができる。センターポール固定部１２０に対してボビン固定部１１０が変位しやすいようにしつつ、可動部１３０の復元力を増加させることができる。
【００５３】
図４に示されるように、本実施の形態において、可動部１３０ａのうち、第２の接合部１２５ａにおいてセンターポール固定部１２０に接続される部分の下面側（図４において下方側）には、フィレット部１３５が設けられている。可動部１３０ａは、第２の接合部１２５ａ部分から可動部１３０ａにかけて、表面がなだらかに接続されるように、すなわち可動部１３０ａの断面積が徐々に変化するように、形成されている。また、可動部１３０ａのうち、第１の接合部１１５ａにおいてボビン固定部１１０に接続される部位の下面側には、フィレット部１４５が設けられている。可動部１３０ａは、第１の接合部１１５ａ部分から可動部１３０ａにかけて、表面がなだらかに接続されるように、すなわち可動部１３０ａの断面積が徐々に変化するように、形成されている。このようなフィレット部１３５，１４５は、可動部１３０ａだけでなく、他の可動部１３０ｂ，１３０ｃについても、センターポール固定部１２０やボビン固定部１１０との間に設けられている。
【００５４】
このように、フィレット部１３５，１４５が設けられていることにより、センターポール固定部１２０に対してボビン固定部１１０が変位したとき、可動部１３０の接続部位への応力の集中を緩和させることができる。したがって、可動部１３０の接続部位における破断などのダンパー１００の破損トラブルを防止することができる。
【００５５】
なお、フィレット部は、可動部１３０のセンターポール固定部１２０側の接合部とボビン固定部１１０側の接合部とのいずれか一方にのみ形成されていてもよい。また、各可動部１３０の上面側に形成されていてもよい。
【００５６】
このように、本実施の形態において、ダンパー１００がボイスコイルボビン５の内側に設けられているため、ボイスコイルボビン５の外側にダンパー１００を設けたスピーカに比べてボイスコイルボビン５を大径化できる。したがって、スピーカ１を高耐入力化できる。
【００５７】
各可動部１３０のそれぞれのセンターポール固定部１２０側の接合部の位置は、センターポール固定部１２０のうち、その可動部１３０のボビン固定部１１０側の接合部に最も近い部位から離れた位置に設けられている。したがって、可動部１３０の可動領域（可撓領域）と、センターポール固定部１２０の半径方向の寸法とを、比較的自由に大きく確保することができる。
【００５８】
可動部１３０の可動領域を大きく確保できるので、ダンパー１００のスティフネスを低減させることができる。したがって、スピーカ１の最低共振周波数を低減することができ、スピーカ１の再生周波数帯域をより広くできる。
【００５９】
また、センターポール固定部１２０の寸法を大きく確保できる。そのため、センターポール固定部１２０とセンターポール１１との接着領域を大きくし、ダンパー１００と磁気回路１０とを強固に固着させることができる。また、振動系のローリング現象をより抑制することができ、スピーカ１の信頼性を向上させることができる。
【００６０】
ここで、可動部１３０は、円周Ｃ３方向に伸長した円弧形状を有している。したがって、平面視でボビン固定部１１０とセンターポール固定部１２０との間に、効率的に、可撓領域が大きい複数の可動部１３０を配置することができ、スピーカ１の小型化と高性能化を高い次元で両立させることができる。特に、センターポール固定部１２０のスピーカの正面方向から見た外周形状は、中心が可動部１３０の曲率中心及び円環状のボビン固定部１１０の中心と同位置にある円形状となっている。したがって、これにより、可動部１３０の可撓領域をより大きく確保でき、かつ、センターポール固定部１２０とセンターポール１１との接着領域をより大きくできる。
【００６１】
［ダンパーの変型例の説明］
【００６２】
ダンパーの可動部の形状は、上述のようなものに限られない。
【００６３】
図５は、本実施の形態の一変型例に係るダンパー２００を示す平面図である。
【００６４】
ダンパー２００は、上述のダンパー１００の可動部１３０とは異なる形状の可動部２３０（可動部２３０ａ，２３０ｂ，２３０ｃ）を有している。図５に示されるように、ダンパー２００において、各可動部２３０は、平面視で、ボビン固定部１１０やセンターポール固定部１２０と同心の円周Ｃ３に沿うような円弧状で、所定の幅を有する帯形状を有している。
【００６５】
図６は、ダンパー２００を図５の矢印Ｖ２方向から見た図である。
【００６６】
図６において、ダンパー２００は、図５において一点鎖線Ｄ２で囲まれた部位を除いて示されている。また、ダンパー２００の３つの可動部２３０のうち、可動部２３０ａのみが示されており、可動部２３０ｂ，２３０ｃの図示は省略されている。以下、可動部２３０ａについて説明する事項は、他の可動部２３０ｂ，２３０ｃにおいても同様である。
【００６７】
図６に示されるように、可動部２３０ａは、側周面側（スピーカ１の側方）から見て、上下方向（図６において上下方向）に湾曲している。本変型例においては、可動部２３０ａは、上下方向に緩やかなＳ字を描くように、傾斜している。すなわち、可動部２３０ａは、センターポール固定部１２０側の第２の接合部１２５ａから、可動部２３０ａの中央部にかけて、上に凸になるように湾曲した部分２３１ａを有している。また、可動部２３０ａは、可動部２３０ａの中央部から、ボビン固定部１１０側の第１の接合部１１５ａにかけて、下に凸になるように湾曲した部分２３２ａを有している。すなわち、可動部２３０ａは、側周面側から見て、その中央部付近に変曲点を有する曲線状に湾曲している。本変型例では、可動部２３０がこのような構造を有することにより、上述のダンパー１００と同様の効果に加えて、より高い、応力の分散効果や、復元力の増加効果を得ることができる。可動部２３０が上下方向に緩やかなＳ字を描くような形状に形成されていることにより、ボビン固定部１１０がセンターポール固定部１２０に対して自然状態より上方に変位しても下方に変位しても、略同様に復元力が発生する。したがって、スピーカ１の性能をより高くすることできる。
【００６８】
［その他］
【００６９】
上述の各特徴について部分的に適宜組み合わせて構成されたダンパーが用いられてもよい。例えば、ダンパーにおいて、架橋部は設けられていなくてもよいし、ゲートも異なる部分に設けられていてもよい。
【００７０】
ダンパーの可動部の数や形状は、上述に限られない。例えば、各可動部は、平面視で、楕円弧状に湾曲するように形成されていてもよい。また、各可動部は、平面視で、多角形の辺の一部分をなすような複数の直線部分で構成され、全体として湾曲しているように形成されていてもよい。各可動部は、スピーカの側方から見て湾曲していなくてもよい。
【００７１】
ボビン固定部やセンターポール固定部は、連続する環状に形成されているものに限られず、例えば部分的に途切れていてもよい。センターポール固定部は、例えば環状でなく、板形状を有していてもよい。例えばセンターポール固定部が板形状である場合、センターポール固定部のスピーカの正面方向から見た外周形状を、中心が可動部の曲率中心及び円環状のボビン固定部の中心と同位置にある円形状とすることができる。これにより、可動部の可撓領域を大きく確保し、かつ、センターポール固定部とセンターポールとの接着領域を大きくでき、スピーカの小型化と高性能化を高い次元で両立させることができる。このようにセンターポール固定部が板状である場合、その一部に上方に凸の窪み部を設けることができる。これにより、センターポール固定部の下面とセンターポール上面との間に塗布した接着剤のうち余分なものを、窪み部内に導入し、磁気ギャップ側にはみ出さないように保持することができる。
【００７２】
また、ボイスコイルボビンは、円筒でなく、例えば楕円筒形や角筒形を有していてもよい。このとき、ボビン固定部やセンターポール固定部は、楕円形形状や多角形形状を有する環状に形成されていてもよい。
【００７３】
スピーカとしては、外磁型のものであってもよい。
【００７４】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００７５】
１  スピーカ
５  ボイスコイルボビン
１０  磁気回路
１１  センターポール
１２  マグネット
１００，２００  ダンパー
１１０  ボビン固定部
１１５ａ，１１５ｂ，１１５ｃ  第１の接合部（ボビン固定部側の接合部）
１２０  センターポール固定部
１２５ａ，１２５ｂ，１２５ｃ  第２の接合部（センターポール固定部側の接合部）
１２７  架橋部
１３０，１３０ａ，１３０ｂ，１３０ｃ，２３０，２３０ａ，２３０ｂ，２３０ｃ  可動部
１３５，１４５  フィレット部
ＣＴＲ  中心（可動部の曲率中心）
【図１】
2013012830.tif 000003
【図２】
2013012830.tif 000004
【図３】
2013012830.tif 000005
【図４】
2013012830.tif 000006
【図５】
2013012830.tif 000007
【図６】
2013012830.tif 000008